(57)【要約】 【課題】  タンクからの遊技球をレールを通じて払出し装置から払い出す遊技機において、制御基板に至る上流側で静電気を確実に除去し、各種制御基板や払出し装置内の制御部品を静電気から確実に保護することを目的とする。【解決手段】  パチンコ遊技機１０では、球タンク７２およびタンクレール７３は表面抗値が１０0 Ωの導電材Ａを用いて成形されている。一方、賞球／貸球払出しユニット７５は導電材Ａよりも大きな表面抵抗値（１０2 Ω）の導電材Ｂを用いて成形され、ケースレール７４は導電材Ｂよりも大きな表面抵抗値（１０3.8 Ω）（１０2 Ω）の導電材Ｃを用いて成形されている。このため、球貸しや入賞の際における遊技球Ｂの流動によって発生した静電気は、賞球／貸球払出しユニット７５よりも上流側の球タンク７２やタンクレール７３において積極的に除去される。【選択図】        図１
2015091489.tif 000002
【特許請求の範囲】
【請求項１】
遊技球を一時的に貯留するタンクと、該タンクからの遊技球を所定の条件を具備したときに賞球ないし貸球として払い出す払出し装置と、該払出し装置にタンクからの遊技球を案内するレールとを有する遊技機であって、
前記タンクまたは前記レールの少なくとも一方と前記払出し装置とを、抵抗率の異なる樹脂製の導電材を用いて形成した遊技機。
【発明の詳細な説明】
【技術分野】
【０００１】
本発明は、遊技機に関し、詳しくは、遊技球を一時的に貯留するタンクと、該タンクからの遊技球を賞球として払い出す払出し装置と、該払出し装置にタンクからの遊技球を案内するレールとを有する遊技機に関する。
【背景技術】
【０００２】
近年、遊技球に帯電した静電気の影響が遊技盤裏面の制御基板に及ばないようにする技術が種々提案されている。例えば、遊技場の島から供給された遊技球を貯留するタンクを導電性プラスチックで形成し、或いは、タンクからの遊技球の通路であるレールの底面に導電性の金属板を添設し、遊技球に帯電した静電気をタンクや金属板からアースに逃がす手法がある
【先行技術文献】
【特許文献】
【０００３】
【特許文献１】特開平６−３９１１８号公報
【発明の概要】
【発明が解決しようとする課題】
【０００４】
しかしながら、島からタンクへの遊技球の供給やレール上における遊技球の流動は球貸しや入賞の度に頻繁に生じるため、遊技球同士の衝突や摩擦等によって発生する静電気が多く、タンクやレールを個々に導電とするだけでは除去に限界があった。除去が不十分となれば、タンクやレール，払出し装置の周辺の制御基板に静電気が作用してしまうという問題や、静電気を帯びた遊技球が払出し装置に侵入して払出し装置内の制御部品に静電気がノイズとして影響を与えてしまうという問題を招致するおそれがあった。
また、球貸しや入賞の際に遊技球が流動する態様は、タンクから上皿までの間の流通経路の各所において微妙に異なっている。このような各所における遊技球の流動態様の違いに着目して静電気を効果的に除去する手法については、従来において何ら提案されていなかった。
【０００５】
そこで、本発明は、上記の課題を解決し、制御基板に至る上流側で静電気を確実に除去し、各種制御基板や払出し装置内の制御部品を静電気から確実に保護することを目的として、以下の構成を採った。
【図面の簡単な説明】
【０００６】
【図１】本発明の特徴を実施例であるパチンコ遊技機１０を用いて示す説明図である。
【図２】パチンコ遊技機１０の前面を示す説明図である。
【図３】パチンコ遊技機１０の後面を示す説明図である。
【図４】金属板９０，ケースレール７４，賞球／貸球払出しユニット７５および鈴桶ベース７７が機構板７０に取り付けられる様子を示す説明図である。
【図５】賞球や貸球の払出し通路を構成する各部品の成形材料およびその特性を示す説明図である。
【図６】機構板７０の裏側正面を略記して示す説明図である。
【図７】球貸し開始から球貸し終了までの静電気除去量を機構板７０の各領域ごとに示すグラフである。
【図８】賞球や貸球の払出しの前後においてパチンコ遊技機に生じる電位差を表わすグラフである。
【発明を実施するための形態】
【０００７】
本発明の遊技機は、
遊技球を一時的に貯留するタンクと、該タンクからの遊技球を所定の条件を具備したときに賞球として払い出す払出し装置と、該払出し装置にタンクからの遊技球を案内するレールとを有する遊技機であって、
前記タンクまたは前記レールの少なくとも一方と前記払出し装置とを、抵抗率の異なる樹脂製の導電材を用いて形成したことを要旨とする。
【０００８】
ここで抵抗率とは、ある材料についての単位体積当たりの電気抵抗値をいう。抵抗率は比導電率の逆数として表わすことができる。
【０００９】
上記発明の遊技機によれば、球貸しや入賞の際における遊技球の流動によって発生した静電気は、遊技球が払出し装置に至るまでに確実に除去される。この結果、払出し装置の近傍に設けられた制御部品や各種制御基板の誤作動を確実に防止することができる。
【００１０】
タンクまたはレールに、払出し装置に用いられる導電材よりも小さな抵抗率の導電材を用いることも好適である。こうすれば、島からの供給に伴って遊技球に生じた静電気を遊技球の供給源に近い位置で除去することが可能となり、払出し装置の近傍に設けられた制御部品や各種制御基板の誤作動を防止する確実性をより高めることができる。この結果、タンクやレールの下方に制御部品や各種の制御基板を設けた場合であっても制御部品や制御基板の誤作動を防止することが可能となり、制御部品や制御基板の配置の自由度を高めることができる。
【００１１】
タンクおよびレールの双方を樹脂製の導電材を用いて形成し、レールに用いられる導電材よりも小さな抵抗率の導電材をタンクに用いる構成としてもよい。こうすれば、島から供給された遊技球がタンク内に貯留された遊技球に衝突することにより発生した静電気を、発生後速やかにタンク内において除去することができ、静電気発生量の多い地点において静電気を効率よく除去することができる。
【００１２】
レールを、複数のレール部品を連接することによって構成し、該複数のレール部品を、それぞれ抵抗率の異なる樹脂製の導電材を用いて形成することも可能である。こうすれば、レール上の静電気を、抵抗率の小さい導電材を用いたレール部品側でより積極的に除去することができる。例えば、タンク近傍に位置するレール部品を抵抗率の小さい導電材を用いて形成すれば、払出し装置から離れた位置において静電気が積極的に除去されるので、静電気を帯びた遊技球の払出し装置への進入を確実に防止することができる。
【００１３】
前記タンク，前記レール，前記レール部品，前記払出し装置という各パーツに用いられる導電材の抵抗率を、各パーツと遊技球との接触面積の大小、各パーツ内における遊技球同士の衝突頻度の多少、各パーツ内における制御部品の存否の少なくともいずれかに応じた値とすることも望ましい。こうすれば、各パーツに用いられる導電材の抵抗率は、球貸しや入賞の際における各パーツと遊技球との摩擦の大きさや各パーツ内における遊技球同士の衝突頻度の多さ、制御部品への影響度の大きさに応じた値となる。従って、各パーツにおける静電気発生量の多少や静電気除去の必要性の高さに対応して静電気を効果的に除去することができる。例えば、摩擦や衝突によって静電気が多く発生する地点に用いられるパーツに抵抗率の小さな導電材を用いれば、該パーツ内で発生した多量の静電気を該パーツから確実に除去することが可能となり、帯電状態の遊技球がより下流側のパーツに流動してしまうことを効果的に抑制することができる。
【００１４】
タンク，レールおよび払出し装置を連絡する連絡部と、遊技機の一部を開閉可能に軸支するヒンジ部とを備え、連絡部とヒンジ部とを電気的に接続する構成とすることも、球貸し時や入賞時における遊技球の流動によって発生した静電気を、タンク，レールおよび払出し装置から連絡部材を通じて遊技機外に確実に除去することができる点で好ましい。
【００１５】
また、払出し装置によって払い出された遊技球を貯め置く上皿と、該上皿の容量を越えて払い出された遊技球を貯め置く下皿とを備え、上皿および下皿を樹脂製の導電材を用いて形成しても差し支えない。
【００１６】
以上説明した本発明の構成および作用を一層明らかにするために、以下本発明の実施の形態を実施例に基づき説明する。図１は、本発明の特徴を、本発明の実施例であるパチンコ遊技機１０を用いて示す説明図である。この図１では、遊技場の島に設置されたパチンコ遊技機１０を後面から見たときの様子を示している。
【００１７】
図１に示すように、遊技場の島には、各パチンコ遊技機１０のアウト口に進入した遊技球（以下、アウト球という）を回収して球搬送装置ＣＥに搬送する搬送用レールＣＲ、搬送用レールＣＲからのアウト球を搬送筒ＣＴを介して上方の球供給装置ＳＥに搬送する球搬送装置ＣＥ、搬送筒ＣＴから搬送されたアウト球を遊技球Ｂとして供給用レールＳＲに送出する球供給装置ＳＥが設けられている。球供給装置ＳＥから供給用レールＳＲに送出された遊技球Ｂは、パチンコ遊技機１０後面の最上部に取り付けられた球タンク７２に供給される。
【００１８】
パチンコ遊技機１０後面には、球タンク７２に連接されたタンクレール７３、タンクレール７３に連接されたケースレール７４、ケースレール７４に連接された賞球／貸球払出しユニット７５が取り付けられている。賞球／貸球払出しユニット７５のストッパ７５ｇは、球貸し時や役物への入賞時以外は閉じた状態となっている。このため、ストッパ７５ｇの閉止状態において球タンク７２に供給された遊技球Ｂは、ストッパ７５ｇに当接した後、ケースレール７４，タンクレール７３，球タンク７２に順次に溜まっていく。この後、球タンク７２に所定量の遊技球Ｂが溜まったときに球供給装置ＳＥから球タンク７２への遊技球Ｂの供給が停止される。
【００１９】
一方、遊技中に球貸しや役物への入賞が生じた場合には、入賞を検知した払出制御基板８６ａからの指示に基づいてストッパ７５ｇが開いた状態となり、この結果、遊技球Ｂは、図１に白抜きの矢印で示すように、賞球／貸球払出しユニット７５に連接された鈴桶ベース７７を通じてパチンコ遊技機１０前面の上皿２４に供給される。この上皿２４への遊技球Ｂの供給に伴って、ケースレール７４，タンクレール７３，球タンク７２に溜まっていた遊技球Ｂは、下流側の賞球／貸球払出しユニット７５方向に流動する。この流動により球タンク７２内の遊技球Ｂの貯留数が減少する。球供給装置ＳＥは、こうした貯留数の減少を検知し、減少した分の遊技球Ｂを供給用レールＳＲを通じて球タンク７２に補給する。払い出された賞球や貸球の数は、賞球／貸球払出しユニット７５内に設けられた賞球／貸球センサ７５ｅによって検知され、賞球／貸球センサ７５ｅが所定数の払出しを検知したときに検知結果を受け取った払出制御基板８６ａがストッパ７５ｇの閉成を指示する。
【００２０】
このように、球貸しや役物への入賞が生じた場合には、球タンク７２，タンクレール７３，ケースレール７４，賞球／貸球払出しユニット７５，鈴桶ベース７７，上皿２４内という各部を遊技球Ｂが流動し、かつ、球タンク７２内に供給用レールＳＲからの遊技球Ｂが落下する。本発明は、各部における遊技球Ｂの流動態様や落下態様の相違による静電気発生量の差に着目して、各部の電気抵抗率を静電気発生量の多少に応じて異ならせ、これにより、各部において発生した静電気を確実に除去し、各部において発生した静電気が、遊技球Ｂの流動経路の近傍に設けられた賞球／貸球センサ７５ｅや遊技球Ｂの流動経路の周辺に設けられた払出制御基板８６ａや主基板８４ａ等の制御基板に及んでしまうこと（図１に黒色の太矢印で示す）を有効に防止することを特徴とするものである。
【００２１】
次に、本実施例のパチンコ遊技機１０の全体構成について図２および図３を参照しつつ説明する。図２，図３は、それぞれパチンコ遊技機１０の前面，後面を示している。図２に示すように、パチンコ遊技機１０は、木製の外枠１２と、この外枠１２の外側側面にセットされるプリペイドカードユニット１５を備える。
【００２２】
プリペイドカードユニット１５は、貸球数の情報が記録されたプリペイドカードを挿入することにより所定数の遊技球Ｂを上皿２４に供給する装置であり、ＡＣ１００ボルトのカードユニット電源コード１７（図３を参照）と、度数表示部１６ａ，貸出ボタン１６ｂ，貸出ボタンランプおよび返却ボタン１６ｃを有する案内ユニット１６を備える。このプリペイドカードユニット１５によって貸球がなされる仕組みについては後述する。
【００２３】
パチンコ遊技機１０は、外枠１２に内枠用ヒンジ１３を介して開閉可能に軸着される内枠２０を備える。この内枠２０に装着される各部品について以下説明する。内枠２０の枠内に形成された開口部には、予め描画シートが貼着された遊技板４０が嵌め込まれており、この遊技板４０はガラス枠２２のガラス面で覆われている。ガラス枠２２は、遊技状況に応じて点滅ないし点灯する表示ランプ２３をガラス面の周囲に備える。このガラス枠２２は、内枠２０の一片側（図２では向かって左側）の内側面に装着されたガラス枠用ヒンジ２１を介して開閉可能に軸着される。
【００２４】
ガラス枠２２の下方には、貸球や賞球としての遊技球Ｂを貯留する上皿２４が設けられている。この上皿２４は、内枠２０の一片側（図２では向かって左側）の内側面に上皿用ヒンジ（図示せず）を介して開閉可能に軸着されている。
【００２５】
なお、ガラス枠用ヒンジ２１および上皿用ヒンジとは反対側（図２では向かって右側）の内枠２０の端部には、ガラス枠２２および上皿２４を閉じたときにガラス枠２２裏側の係合部および上皿用ヒンジ裏側の係合部に係合する係合金具２９が装着されている。上記各係合部が係合金具２９に係合することにより、ガラス枠２２および上皿２４は、図２に示すような閉じた状態に保たれる。ガラス枠２２の係合部と係合金具２９との係合状態は、鍵穴飾り２７に設けられた錠２８の解錠操作によって係合金具２９の一部が移動することによって解除される。これにより、ガラス枠２２はガラス枠用ヒンジ２１を中心として回転可能となり、ガラス枠２２を開くことができる。また、上皿２４の係合部と係合金具２９との係合状態は、ガラス枠２２を開いた後に上皿２４裏面と内枠２０表面との間に指を入れ、係合金具２９の一部を押圧移動させることによって解除される。これにより、上皿２４は上皿用ヒンジを中心として回転可能となり、上皿２４を開くことができる。
【００２６】
上皿２４よりも下方の内枠２０表面には、上皿２４の容量を越えて払い出された遊技球Ｂを貯留する下皿２５、発射ハンドル２６ａの回転操作によって上皿２４から供給された遊技球Ｂを遊技領域に向けて発射する発射操作ユニット２６等が取り付けられている。また、上皿２４を開けたときに露出する内枠２０表面には、発射ハンドル２６ａの回転操作により発射された遊技球を外レール５１に案内する発射レール３０が装着されている。
【００２７】
一方、内枠２０の後面には、図３に示すように、上皿２４および発射操作ユニット２６の取り付け位置に対応する位置に、発射モータや打球竿等からなる発射機構ユニット３１が取り付けられる。また、内枠２０の片側（図３では向かって右側）の側面には、後述する機構板７０を軸受けするための金属製の受け金具３３が螺着されている。なお、内枠２０後面における開口部の左右には、嵌め込まれた遊技板４０を内枠２０の後側から支持する支持片３２ａ，３２ｂが軸着されている。この左右の支持片３２ａ，３２ｂを軸を中心に回転させた後に遊技板４０を引き出すことにより、遊技板４０を内枠２０の後面から取り外すことができる。
【００２８】
次に、遊技板４０について説明する。図２に示すように、遊技板４０の表側には、発射操作ユニット２６により発射された遊技球Ｂを遊技領域まで誘導する外レール５１および内レール４９、遊技領域に出た遊技球Ｂの内レール４９側への戻りを防止するファール球止め５０、返しゴム５２、遊技領域において打球が流下する方向を変化させる多数の障害釘、遊技領域において打球が流下する速度や方向を変化させる風車４７およびランプ風車４８、遊技領域を流下する遊技球が進入可能な数個の普通入賞口４３および一個の始動入賞口４４、遊技球Ｂの普通図柄表示装置作動ゲート４５の通過に伴って動作する普通図柄表示装置４２、遊技球Ｂの始動入賞口４４への進入に伴って図柄変動を開始する特別図柄表示装置４１、特別図柄表示装置４１によって特定図柄が表示されたときに開く大入賞口４６、各入賞口４３，４４，４６への入賞状況に応じて種々の形態で点灯ないし点滅する表示ランプ５４等の各種部品が装着されている。また、遊技板４０の中央下部には、遊技領域において入賞しなかった遊技球Ｂの入口であるアウト口５３が形成されている。このような各部により、ガラス枠２２越しの遊技板４０上に遊技領域が形成される。
【００２９】
一方、遊技板４０の裏側には、図３に示すように、特別図柄表示装置４１として機能する液晶表示器５６、表示ランプ２３，５４の表示形態を制御するランプ制御基板５７、外部に出力する音声の内容を特別図柄表示装置４１の動作状況に応じて制御する音声制御基板５８が、電気配線と共に取り付けられている。なお、ランプ制御基板５７および音声制御基板５８は、金属製のランプ・音声基板用プレート５９を介して遊技板４０に取り付けられる。こうした液晶表示器５６、ランプ制御基板５７、音声制御基板５８は、図示しない樹脂製のカバーによって覆われている。
【００３０】
次に、樹脂製の機構板７０について説明する。図３に示すように、機構板７０の側面の二箇所には金属製の機構板用ヒンジ７１，７９が螺着されている。この機構板用ヒンジ７１，７９を内枠２０に装着された受け金具３３にセットすることにより、機構板７０は、遊技板４０を挟んで開閉ないし係脱可能に装着される。
【００３１】
機構板７０の略中央には矩形の開口部７０ａが形成されている。図３に示すように、機構板７０を閉じた状態において、遊技板４０裏側の液晶表示器５６，ランプ制御基板５７および音声制御基板５８は上記開口部７０ａ内に納まっている。
【００３２】
機構板７０の裏側には、遊技場の球供給装置ＳＥから供給される遊技球を一時的に貯留する球タンク７２、球タンク７２から賞球／貸球払出しユニット７５までを連通するタンクレール７３およびケースレール７４が取り付けられている。図３に示すように、最上部に取り付けられた球タンク７２の下部には二つの凸部７２ａ，７２ｂが形成されている。これらの凸部７２ａ，７２ｂはタンクレール７３の上端と接触している。また、タンクレール７３の末端はケースレール７４の始端と接触した状態となっている。
【００３３】
ケースレール７４の末端には、保護カバー７６ａ，７６ｂ付きの賞球／貸球払出しユニット７５および鈴桶カバー７８付きの鈴桶ベース７７が連接されている。これらのケースレール７４，賞球／貸球払出しユニット７５、鈴桶ベース７７は、図３に示すように、機構板７０の裏面に敷設された矩形の金属板９０上に金属板９０と接触した状態で設置されている。また、ケースレール７４の始端と接するタンクレール７３の末端も、金属板９０上に金属板９０と接触した状態で設置されている。この金属板９０，ケースレール７４，賞球／貸球払出しユニット７５および鈴桶ベース７７の機構板７０への設置態様については後述する。
【００３４】
機構板７０におけるケースレール７４上方の領域には電源・外部端子ユニット８０が装着されている。電源・外部端子ユニット８０は、遊技場の島からＡＣ２４ボルトの電源をパチンコ遊技機１０内に導入するための遊技機電源コード８０ｂ、操作により供給電源のオン／オフを行なう電源スイッチ８０ａ、パチンコ遊技機１０に発生した特定図柄の表示による大当たり回数等を外部に出力する遊技盤用外部端子板８０ｃ、球貸しや球切れ，賞球に関する情報を外部に出力する枠用外部端子板８０ｄから構成されている。遊技機電源コード８０ｂから導入されたＡＣ２４ボルトの電源は、電気配線を通じて後述する電源ユニット８１に送られる。
【００３５】
開口部７０ａの下方には、電源基板８１ａを有する電源ユニット８１および発射制御基板８２ａを有する発射制御ユニット８２が、金属製の電源・発射制御基板用プレート８３を介して機構板７０の裏面に取り付けられている。また、機構板７０の裏面には、電源ユニット８１および発射制御ユニット８２の上面の一部を覆うように、金属製の主基板用プレート８５が螺着されており、この主基板用プレート８５上に主基板８４ａを有する主制御ユニット８４が取り付けられている。また、機構板７０の裏面には、鈴桶カバー７８の上面および電源ユニット８１の上面の一部を覆うように、金属製の払出制御基板用プレート８７が螺着されており、この払出制御基板用プレート８７上に払出制御基板８６ａを有する払出制御ユニット８６が取り付けられている。
【００３６】
外部端子ユニット８０と電気配線を介して接続された電源ユニット８１は、遊技機電源コード８０ｂから送られてきた交流電流を直流電流に変換して、液晶表示器５６、ランプ制御基板５７、音声制御基板５８、発射制御ユニット８２、主制御ユニット８４および払出制御ユニット８６等の各制御パーツに供給する。発射制御ユニット８２は発射機構ユニット３１の発射動作を制御する。主制御ユニット８４は、特別図柄表示装置４１や普通図柄表示装置４２における図柄の表示動作等の遊技に伴う動作を制御する。払出制御ユニット８６は、賞球／貸球払出しユニット７５による払出し動作を制御する。
【００３７】
図３に二点鎖線で示すように、機構板７０の表側には、遊技球Ｂを誘導する各種の通路が設けられている。一つは、賞球や貸球として払い出される遊技球Ｂを上皿２４に導く通路である案内路７０ｂである。また、案内路７０ｂから分岐し、上皿２４の容量を越えて払い出された遊技球Ｂを下皿２５に導く通路である分岐路７０ｃ、アウト口５３に進入した遊技球Ｂをアウト球として機外へ排出する通路であるアウト球排出通路７０ｄも設けられている。
【００３８】
金属板９０，ケースレール７４，賞球／貸球払出しユニット７５および鈴桶ベース７７が機構板７０に取り付けられる様子を図４に示す。図４に示すように、機構板７０には、賞球や貸球として払い出された遊技球Ｂを上皿２４に案内する案内路７０ｂが、機構板７０を幅方向に貫通することによって設けられている。この案内路７０ｂよりもやや上方に金属板９０が取り付けられる。
【００３９】
図４に示すように、金属板９０の側端部には折曲部９０ａ，９０ｂが形成されており、この折曲部９０ａ，９０ｂは、それぞれ機構板用ヒンジ７１，７９に螺着されている。これにより、金属板９０は、折曲部９０ａ，９０ｂを介して機構板用ヒンジ７１，７９と導通可能な状態となる。
【００４０】
金属板９０の下方位置に取り付けられる鈴桶ベース７７内には、賞球ないし貸球として払い出された遊技球Ｂの通路７７ａが形成されており、この通路７７ａの中央にはベル７７ｃが装着されている。また、鈴桶ベース７７が取り付けられたときに案内路７０ｂと対向する位置には、通路７７ａ内の遊技球Ｂを外部に排出するための出口７７ｂが形成されている。
【００４１】
鈴桶ベース７７の通路７７ａの上方には賞球／貸球払出しユニット７５が装着される。賞球／貸球払出しユニット７５の装着位置よりも下方の鈴桶ベース７７は鈴桶カバー７８によって覆われている。
【００４２】
賞球／貸球払出しユニット７５は、その内部に、モータ７５ａ，７５ｂを動力源として開閉するニ個のストッパ（図示せず）を備える。このストッパが閉成状態となることによりケースレール７４からの遊技球Ｂの流下が塞き止められる。なお、賞球／貸球払出しユニット７５の上面には、モータ７５ａ，７５ｂをそれぞれ覆うようにニ個の保護カバー７６ａ，７６ｂが装着される。
【００４３】
賞球／貸球払出しユニット７５の底部には、各ストッパの位置から連通された賞球排出口７５ｃ，貸球排出口７５ｄが形成されている。また、賞球／貸球払出しユニット７５内の賞球排出口７５ｃ，貸球排出口７５ｄの近傍には、賞球排出口７５ｃ，貸球排出口７５ｄから排出された賞球，貸球としての遊技球Ｂの数を検知する賞球／貸球センサ（図示せず）が埋め込まれている。
【００４４】
図４におけるケースレール７４は、上下にニ分割された組み合わせ前の状態を表わしている。金属板９０の上方位置に取り付けられるケースレール７４内には、タンクレール７３から流れてきた遊技球Ｂが進入する進入口７４ａ、進入口７４ａから進入した遊技球Ｂを賞球用通路７４ｃと貸球用通路７４ｄとに分岐する分岐壁７４ｂ、分岐された遊技球Ｂの出口である賞球用遊技球通過口７４ｅ，貸球用遊技球通過口７４ｆが形成されている。
【００４５】
以上説明した球タンク７２、タンクレール７３、ケースレール７４、賞球／貸球払出しユニット７５、鈴桶ベース７７、鈴桶カバー７８および案内路７０ｂによって、賞球や貸球としての遊技球Ｂの上皿２４への払出し通路が形成される。即ち、パチンコ遊技機１０では、入賞や球貸しのない場合には、賞球／貸球払出しユニット７５内のニ個のストッパが閉止した状態となる。このため、遊技球Ｂの流下がニ個のストッパによって塞き止められ、球タンク７２、タンクレール７３およびケースレール７４内は遊技球Ｂが貯留した状態となる。
【００４６】
一方、遊技中に普通入賞口４３または大入賞口４６に遊技球Ｂが進入した場合には、この遊技球Ｂの進入を検知した払出制御ユニット８６が賞球排出口７５ｃ側のストッパの開成を指示する。この結果、ケースレール７４の賞球用通路７４ｃに貯まっていた遊技球Ｂは、賞球用遊技球通過口７４ｅから賞球／貸球払出しユニット７５内の賞球排出口７５ｃを通じて鈴桶ベース７７の通路７７ａに進入する。通路７７ａに進入した遊技球Ｂは、ベル７７ｃに衝突してベル７７ｃを鳴らしながら出口７７ｂに向けて流下し、出口７７ｂから案内路７０ｂに排出される。これにより、賞球としての所定数の遊技球Ｂが案内路７０ｂを通ってパチンコ遊技機１０前面側の上皿２４に払い出される。
【００４７】
また、プリペイドカードユニット１５にプリペイドカードが挿入された後に案内ユニット１６の貸出ボタン１６ｂが押された場合には、貸球数の情報を検知した払出制御ユニット８６が貸球排出口７５ｄ側のストッパの開成を指示する。この結果、ケースレール７４の貸球用通路７４ｄに貯まっていた遊技球Ｂは、貸球用遊技球通過口７４ｆから賞球／貸球払出しユニット７５内の貸球排出口７５ｄを通じて鈴桶ベース７７の通路７７ａに進入する。通路７７ａに進入した遊技球Ｂは、ベル７７ｃに衝突してベル７７ｃを鳴らしながら出口７７ｂに向けて流下し、出口７７ｂから案内路７０ｂに排出される。これにより、貸球としての所定数の遊技球Ｂが案内路７０ｂを通ってパチンコ遊技機１０前面側の上皿２４に払い出される。
【００４８】
このような賞球や貸球の払出しに伴い、ケースレール７４，タンクレール７３，球タンク７２に貯まっていた遊技球Ｂが、順次に賞球／貸球払出しユニット７５に向かうように移動する。賞球や貸球の払出しにより、球タンク７２への貯留数が一定数以下であることが検出された場合には、この検出結果を受け取った枠用外部端子板８０ｄからの指示に基づき、遊技場の球供給装置ＳＥから球タンク７２に遊技球Ｂが補給される。
【００４９】
なお、払い出された賞球や貸球の数は、賞球／貸球払出しユニット７５内に設けられた賞球／貸球センサ（図示せず）によって検知される。賞球／貸球センサは所定数の払出しを検知したときに検知結果を払出制御ユニット８６に送出し、検知結果を受け取った払出制御ユニット８６は、賞球排出口７５ｃ側ないし貸球排出口７５ｄ側のストッパの閉成を指示する。ストッパの閉成により、賞球用遊技球通過口７４ｅないし貸球用遊技球通過口７４ｆからの遊技球Ｂの流下が停止される。この結果、球タンク７２、タンクレール７３およびケースレール７４内は、入賞ないし球貸し発生前と同様の遊技球Ｂが貯留した状態に戻る。
【００５０】
賞球や貸球の払出し通路を構成する各部品の成形材料およびその特性を図５に示す。図５に示すように、本実施例では、球タンク７２、タンクレール７３、ケースレール７４、賞球／貸球払出しユニット７５および鈴桶ベース７７を、ＡＢＳ（アクリロニトリル・ブタジエン・スチレン）製若しくはＰＣ（ポリカーボネート）製の導電材によって形成するとともに、保護カバー７６ａ，７６ｂをＡＢＳ製の絶縁材、鈴桶カバー７８をＡＢＳ製の帯電防止材によって形成する。なお、本実施例では、単位体積当たりの電気抵抗値（以下、表面抵抗値という）が１０6 Ω以下のものを導電材、表面抵抗値が１０6 Ωを越えるものを帯電防止材として区別している。
【００５１】
球タンク７２は、表面抵抗値が１０0 ΩのＡＢＳ製の導電材Ａを用いて成形されている。球タンク７２内においては、賞球や貸球の払出しに伴う球供給装置ＳＥからの遊技球Ｂの補給の際に、補給された遊技球Ｂが球タンク７２内に貯まっている遊技球Ｂに衝突する頻度が多く、しかも、タンク内部と遊技球Ｂとの接触面積も大きいため、静電気の発生量が特に多いと考えられる。加えて、球タンク７２は、賞球／貸球センサを備えた賞球／貸球払出しユニット７５よりも上流側に設置されるため、帯電状態のままで遊技球Ｂを流下させてしまうと賞球／貸球センサの動作に悪影響を及ぼすおそれがある。このため、本実施例では、球タンク７２に表面抵抗値の小さい導電材Ａを用いている。
【００５２】
タンクレール７３は、球タンク７２と同様の導電材Ａを用いて成形されている。タンクレール７３内においては、レール内部と遊技球Ｂとの接触面積が大きいことに加え、球タンク７２内に遊技球Ｂが貯まっていない状態で球供給装置ＳＥから球タンク７２に遊技球Ｂの補給がなされ、補給された遊技球Ｂがタンクレール７３内に貯まっている遊技球Ｂに衝突する場合があり得るため、静電気の発生量が多いと考えられる。加えて、タンクレール７３は、球タンク７２と同様に、賞球／貸球センサを備えた賞球／貸球払出しユニット７５よりも上流側に設置される。このため、本実施例では、タンクレール７３にも表面抵抗値の小さい導電材Ａを用いている。
【００５３】
ケースレール７４は、内部における遊技球Ｂとの接触面積がタンクレール７３よりも小さいことを考慮し、比較的大きな表面抵抗値（１０3.8 Ω）のＡＢＳ製の導電材Ｃを用いて成形される。また、帯電防止材や絶縁材ではなく導電材Ｃを用いたのは、万一、タンクレール７３から帯電状態の遊技球Ｂが流下してきた場合に、この遊技球Ｂがそのまま賞球／貸球払出しユニット７５内に進入することを防止し、静電気が賞球／貸球センサに作用してしまうことを未然に回避するためである。
【００５４】
賞球／貸球払出しユニット７５は、賞球／貸球センサが埋め込まれている部分を含めて、導電材Ａと導電材Ｃの中間程度の表面抵抗値（１０2 Ω）のＰＣ製の導電材Ｂを用いて成形される。賞球／貸球払出しユニット７５内における遊技球Ｂ同士の衝突頻度や遊技球Ｂとの接触面積は、ケースレール７４とほぼ同等であり、賞球／貸球払出しユニット７５内における静電気発生量はケースレール７４内とほぼ同等と考えられる。一方、賞球／貸球払出しユニット７５内には賞球／貸球センサという賞球や貸球の払出し数を制御する部品が存在するため、万一、帯電状態の遊技球Ｂが賞球／貸球払出しユニット７５内に進入した場合に、この遊技球Ｂの静電気が賞球／貸球センサに作用してしまうことを確実に防止する必要がある。このため、本実施例では、賞球／貸球払出しユニット７５に、ケースレール７４よりも表面抵抗値の小さいい導電材Ｂを用いている。
【００５５】
鈴桶ベース７７は、賞球／貸球センサを備えた賞球／貸球払出しユニット７５の下流側に設置されるため賞球／貸球センサの誤動作への影響が小さいことを考慮し、比較的大きな表面抵抗値の導電材Ｃを用いて成形される。また、帯電防止材や絶縁材ではなく導電材Ｃを用いたのは、賞球や貸球としての遊技球Ｂを鈴桶ベース７７内で静電気を除去した上で上皿２４に払い出すためである。
【００５６】
一方、賞球／貸球払出しユニット７５に装着される保護カバー７６ａ，７６ｂ、鈴桶ベース７７に装着される鈴桶カバー７８は、大きな表面抵抗値を有するＡＢＳ製の絶縁材Ａ（１０16Ω）、帯電防止材Ａ（１０11Ω）を用いて成形される。保護カバー７６ａ，７６ｂおよび鈴桶カバー７８は、機構板７０の裏側から見える部分であることを考慮し、導電材よりも材料の色の種類が多い絶縁材や帯電防止材を採用したものである。また、互いに組み合わされる鈴桶ベース７７，鈴桶カバー７８を表面抵抗値が異なる材料（導電材Ｃ，帯電防止材Ａ）で成形したことにより、鈴桶ベース７７および鈴桶カバー７８内を流下する遊技球Ｂに帯電した静電気は、表面抵抗値の小さい鈴桶ベース７７側に積極的に引きつけられる。
【００５７】
図５に示すように、上皿２４は、パチンコ遊技機１０の前面に張り出す張出部が大きな表面抵抗値の帯電防止材Ａを用いて成形され、賞球ないし貸球としての遊技球Ｂを貯め置く皿部が小さな表面抵抗値の導電材Ａを用いて成形される。また、下皿２５は、パチンコ遊技機１０の前面に張り出す張出部が大きな表面抵抗値の帯電防止材Ａを用いて成形され、上皿２４の容量を越えて払い出された遊技球Ｂを貯め置く皿部が小さな表面抵抗値の導電材Ａを用いて成形される。
【００５８】
以上のような材料を用いて構成された賞球や貸球の払出し通路において、遊技球Ｂに帯電した静電気が除去される様子を図６および図７を参照しつつ説明する。図６は、機構板７０の裏側正面を略記して示す説明図である。図７は、球貸し開始から球貸し終了までの静電気除去量を機構板７０の各領域ごとに示すグラフである。なお、図６では、電源・外部端子ユニット８０，電源ユニット８１，発射制御ユニット８２，主制御ユニット８４，払出制御ユニット８６および鈴桶カバー７８を取り外した状態の機構板７０を示している。
【００５９】
図６に示すように、機構板７０における賞球や貸球の払出し通路は、通路の表面抵抗値の大きさに対応して、通路上流側から以下のように区分される。表面抵抗値が１０0 Ωの導電材Ａからなる領域Ｐ（球タンク７２からタンクレール７３までの領域）、表面抵抗値が１０3.8 Ωの導電材Ｃからなる領域Ｑ（ケースレール７４領域）、表面抵抗値が１０2 Ωの導電材Ｂからなる領域Ｒ（賞球／貸球払出しユニット７５領域）、および表面抵抗値が１０3.8 Ωの導電材Ｃからなる領域Ｓ（鈴桶ベース７７領域）である。
【００６０】
入賞や球貸し前のパチンコ遊技機１０では、領域Ｐ，領域Ｑおよび領域Ｒに遊技球Ｂが貯留している。各領域Ｐ〜Ｒに貯留された遊技球Ｂが静電気を帯びている場合、この静電気は以下のように機外へ除去される。まず、領域Ｐでは、球タンク７２内の遊技球Ｂの静電気は球タンク７２から凸部７２ａ，タンクレール７３を介して金属板９０に流出し、タンクレール７３内の遊技球Ｂの静電気はタンクレール７３から金属板９０に流出する。こうして金属板９０に流出した静電気は、折曲部９０ａ，９０ｂを通じて機構板用ヒンジ７１，７９に流出され、機外へ除去される。
【００６１】
同様に、領域Ｑにおけるケースレール７４内の遊技球Ｂの静電気は、それぞれケースレール７４から金属板９０に流出され、折曲部９０ａ，９０ｂを通じた機構板用ヒンジ７１，７９への流出により機外へ除去される。また、領域Ｒにおける賞球／貸球払出しユニット７５内の遊技球Ｂの静電気は、賞球／貸球払出しユニット７５から鈴桶ベース７７を介して金属板９０に流出され、折曲部９０ａ，９０ｂを通じた機構板用ヒンジ７１，７９への流出により機外へ除去される。
【００６２】
一方、入賞や球貸しが生じた場合には、賞球や貸球の払出しの開始によって各領域Ｐ〜Ｓにおいて遊技球Ｂが流下するとともに、球供給装置ＳＥから球タンク７２内ないしタンクレール７３内に遊技球Ｂが落下する。所定数の遊技球Ｂを払い出したとき賞球や貸球の払出しが終了し、各領域Ｐ〜Ｒにおける遊技球Ｂの貯留状態は入賞や球貸し前とほぼ同様の状態に戻る。こうした賞球や貸球の払出しの開始から終了までの間に領域Ｐ〜Ｒにおいて生じた静電気は、上記と同様の経路で、金属板９０から機構板用ヒンジ７１，７９に流出され、機外へ除去される。また、領域Ｓにおいて生じた鈴桶ベース７７内の遊技球Ｂの静電気は、鈴桶ベース７７から金属板９０に流出され、折曲部９０ａ，９０ｂを通じた機構板用ヒンジ７１，７９への流出により機外へ除去される。
【００６３】
こうした賞球や貸球の払出しの開始から終了までにおける各領域Ｐ〜Ｓでの静電気の除去量を、貸球の払出しの場合を例として図７に示した。図７に示すように、領域Ｐでは、表面抵抗値が小さい（１０0 Ω）ことから単位時間当たりの静電気除去量が多くなる。このため、領域Ｐでは、球貸し開始から球貸し終了までの間に値ｅ３分の静電気が除去されている。
【００６４】
一方、領域Ｑ，Ｓでは、表面抵抗値が大きく（１０3.8 Ω）、しかも、より上流側の領域Ｐで単位時間当たりに多量の静電気が除去されることから、単位時間当たりの静電気除去量は少なくなる。このため、領域Ｑでは、球貸し開始から球貸し終了までの間に、値ｅ３よりも少ない値ｅ１分の静電気が除去される。
【００６５】
また、領域Ｒでは、領域Ｑ，Ｓと同様に、より上流側の領域Ｐで単位時間当たりに多量の静電気が除去されることから、単位時間当たりの静電気除去量は領域Ｐよりも少なくなる。他方、領域Ｒにおける表面抵抗値は領域Ｑ，Ｓよりも小さい（１０2 Ω ）ため、単位時間当たりの静電気除去量は領域Ｑ，Ｓよりも多くなる。このため、領域Ｒでは、球貸し開始から球貸し終了までの間に、値ｅ３よりも少なく値ｅ１よりも多い値ｅ２分の静電気が除去される。
【００６６】
以上のように、賞球や貸球の払出し通路を構成する各部品に表面抵抗値の異なる導電材ＡないしＣを用いることにより、パチンコ遊技機１０内で発生した静電気は迅速に機外に除去される。この結果、賞球や貸球の払出しの際にパチンコ遊技機１０内に帯電する静電気は、従来よりも大きく低減される。なお、上記のパチンコ遊技機１０では、上記した賞球や貸球の払出し通路を構成する各部品の材質変更に加えて、各種の制御基板が敷設される電源・発射制御基板用プレート８３、主基板用プレート８５、払出制御基板用プレート８７およびランプ・音声基板用プレート５９という各プレートを相互に連絡する構成や、発射レール３０，内レール４９，外レール５１等に帯電した静電気を機外に除去する構成を採用する。このようなパチンコ遊技機１０において遊技中の帯電状態を測定した結果を図８（Ｂ）のグラフに示した。
【００６７】
図８は、賞球や貸球の払出しの前後においてパチンコ遊技機に生じる電位差を表わすグラフである。このグラフは、電源ラインにおける電位差の変化をデータとして採取したものであり、縦軸は電位差を示し、横軸は経過時間を示す。また、図８（Ａ）は従来のパチンコ遊技機の測定結果を、図８（Ｂ）は本実施例のパチンコ遊技機１０の場合の測定結果を、それぞれ表わしている。図８に示すように、賞球や貸球の払出しがなされる前においては、電源ラインにおける電位差は５ボルト前後で安定している。
【００６８】
図８（Ａ）と図８（Ｂ）とを比較してわかるように、従来のパチンコ遊技機においては、賞球や貸球の払出しがなされる際に、最大で１１ボルト，最小で−２ボルトの電位差が生じ、電位差が変化する幅Ｗ２は１３ボルトとなる。これに対し、本実施例のパチンコ遊技機１０では、賞球や貸球の払出しがなされる際に、最大で６ボルト，最小で４ボルトの電位差が生じ、電位差が変化する幅Ｗ１は２ボルトとなる。このように、本実施例のパチンコ遊技機１０では、賞球や貸球の払出し時において電源ラインの電位差が変化する幅は、±１ボルト程度に止まり、従来のパチンコ遊技機の１／６程度にまで低減される。以上より、本実施例のパチンコ遊技機１０では、従来品と比べて、賞球や貸球の払出しの際にパチンコ遊技機１０内に静電気が帯電しにくくなっていることがわかる。
【００６９】
また、図８（Ａ）および図８（Ｂ）に示すように、本実施例のパチンコ遊技機１０では、払出し終了後において、従来のパチンコ遊技機よりも早期に電位差が払出し前の状態に戻る（本実施例のパチンコ遊技機１０の場合は払出し終了時から時間ｔ１経過後、従来のパチンコ遊技機の場合は払出し終了時から時間ｔ２経過後）。以上より、本実施例のパチンコ遊技機１０では、従来品と比べて、賞球や貸球の払出しの開始に伴って発生した静電気が発生後速やかに機外へ除去されることがわかる。
【００７０】
以上説明した本実施例のパチンコ遊技機１０では、球タンク７２，タンクレール７３，ケースレール７４と賞球／貸球払出しユニット７５とを、表面抵抗値の異なる樹脂製導電材を用いて形成し、遊技球Ｂに帯電された静電気を、球タンク７２，タンクレール７３，ケースレール７４，賞球／貸球払出しユニット７５から金属板９０を介して機外に除去する。従って、賞球／貸球払出しユニット７５に至る遊技球Ｂの流路で発生した静電気を、表面抵抗値の差に応じて効果的に除去することができる。この結果、賞球／貸球払出しユニット７５内に設けられた賞球／貸球センサ７５ｅ，７５ｆや賞球／貸球払出しユニット７５の近傍に設けられた払出制御基板や主基板等の各種制御基板の誤作動を確実に防止することができる。
【００７１】
また、本実施例のパチンコ遊技機１０では、球タンク７２，タンクレール７３レールに、賞球／貸球払出しユニット７５よりも小さな表面抵抗値の導電材Ａを用いる。このため、球貸しや入賞の際における遊技球Ｂの流動によって発生した静電気は、賞球／貸球払出しユニット７５よりも上流側の球タンク７２やタンクレール７３において積極的に除去される。従って、遊技球Ｂに帯電された静電気を、遊技球Ｂが賞球／貸球払出しユニット７５に至る前に確実に除去することが可能となる。
【００７２】
特に、賞球や貸球の払出しの際には、球タンク７２内での遊技球Ｂ同士の衝突や、流下する遊技球Ｂと球タンク７２，タンクレール７３との摩擦により、球タンク７２およびタンクレール７３内に多量の静電気が発生する。本実施例のパチンコ遊技機１０によれば、このように発生した多量の静電気を発生箇所から即座に機外へ除去することが可能となり、賞球／貸球センサ７５ｅ，７５ｆや各種制御基板の誤作動を防止する確実性をより高めることができる。
【００７３】
また、本実施例のパチンコ遊技機１０では、球タンク７２と賞球／貸球払出しユニット７５とをつなぐレールを、タンクレール７３とケースレール７４という複数の部品を連接することによって構成し、タンクレール７３，ケースレール７４を、それぞれ表面抵抗値の異なる樹脂製導電材を用いて形成する。従って、レール上の静電気を、より表面抵抗値の小さい導電材を用いた部品側でより積極的に除去することができる。本実施例では、より上流側に配置されるタンクレール７３に、ケースレール７４よりも表面抵抗値の小さい導電材を用いているので、遊技球Ｂに帯電した静電気は、賞球／貸球払出しユニット７５のより上流側に位置するタンクレール７３において積極的に除去される。従って、静電気を帯びた遊技球Ｂの賞球／貸球払出しユニット７５への進入を確実に防止することができる。
【００７４】
また、本実施例では、球タンク７２，タンクレール７３，ケースレール７４，賞球／貸球払出しユニット７５という各パーツに用いられる導電材の表面抵抗値を、各パーツと遊技球との接触面積の大小、各パーツ内における遊技球同士の衝突頻度の多少、各パーツ内における制御部品（賞球／貸球センサ）の存否の少なくともいずれかに応じた値とする。こうすれば、各パーツに用いられる導電材の表面抵抗値は、球貸しや入賞の際における各パーツと遊技球との摩擦の大きさや各パーツ内における遊技球同士の衝突頻度の多さ、制御部品への影響度の大きさに応じた値となる。従って、各パーツにおける静電気発生量の多少や静電気除去の必要性の高さに対応して静電気を効果的に除去することができる。例えば、摩擦や衝突によって静電気が多く発生する地点に用いられる球タンク７２やタンクレール７３に表面抵抗値の小さな導電材Ａを用いているので、球タンク７２，タンクレール７３内で発生した多量の静電気を球タンク７２，タンクレール７３から確実に除去することが可能となり、帯電状態の遊技球Ｂがより下流側のケースレール７４，賞球／貸球払出しユニット７５に流動してしまうことを効果的に抑制することができる。
【００７５】
更に、本実施例では、球タンク７２，タンクレール７３，ケースレール７４および賞球／貸球払出しユニット７５を電気的に連絡する連絡部として金属板９０を備え、該金属板９０の折曲部９０ａ，９０ｂを機構板用ヒンジ７１，７９と電気的に接続する。従って、球貸し時や入賞時における遊技球Ｂの流動によって発生した静電気を、球タンク７２，タンクレール７３，ケースレール７４および賞球／貸球払出しユニット７５および鈴桶ベース７７から金属板９０を通じて機外に確実に除去することができる。
【００７６】
また、本実施例では、球タンク７２，タンクレール７３，ケースレール７４および賞球／貸球払出しユニット７５および鈴桶ベース７７に導電材を用いるとともに、鈴桶ベース７７の出口７７ｂから賞球や貸球が供給される上皿２４および下皿２５を樹脂製の導電材Ａを用いて形成する。従って、賞球や貸球が上皿２４や下皿２５に供給された後においても、上皿２４内や下皿２５内において遊技球Ｂに帯電した静電気を除去することができる。
【００７７】
以上本発明の実施例について説明したが、本発明は、こうした実施例に限定されるものではなく、発明の要旨を逸脱しない範囲内において、種々なる態様で実施可能である。
【００７８】
例えば、上記実施例では、球タンク７２およびタンクレール７３に同じ表面抵抗値の導電材Ａを用いたが、球タンク７２，タンクレール７３に異なる表面抵抗値の導電材を用いる構成としても差し支えない。例えば、球タンク７２に、タンクレール７３に用いられる導電材よりも小さな表面抵抗値の導電材を用い、球タンク７２に表面抵抗値１０0 Ωの導電材、タンクレール７３に表面抵抗値１０1 Ωの導電材、賞球／貸球払出しユニット７５に表面抵抗値１０2 Ωの導電材を用いる構成を考えることができる。この構成においても、球タンク７２およびタンクレール７３の表面抵抗値は貸球払出しユニット７５よりも小さくなるので、遊技球Ｂに帯電された静電気を貸球払出しユニット７５よりも上流側で確実に除去することが可能となる。また、球タンク７２内での遊技球Ｂ同士の衝突により発生した静電気を、発生後速やかに球タンク７２から金属板９０を通じて除去することが可能となり、静電気発生量の特に多い地点から静電気を効率よく除去することができる。
【００７９】
上記実施例では、タンクレール７３，ケースレール７４，鈴桶ベース７７を金属板９０上に設置する構成としたが、金属板９０の面積を球タンク７２が装着される範囲まで拡大し、金属板９０上に球タンク７２を設置する構成としても差し支えない。また、賞球／貸球払出しユニット７５を、鈴桶ベース７７内に設置することなく、金属板９０上に設置する構成とすることも可能である。
【００８０】
また、上記実施例では、球タンク７２およびタンクレール７３の双方に導電材を用いたが、球タンク７２またはタンクレール７３のいずれか一方のみに導電材を用いる構成としてもよい。例えば、タンクレール７３の方に導電材を用いた場合には、球タンク７２内で発生した静電気は導電性のあるタンクレール７３側に引き寄せられ、金属板９０を通じて機外に除去される。従って、遊技球Ｂに帯電された静電気を、賞球／貸球払出しユニット７５よりも上流側で積極的に除去することができる。
【符号の説明】
【００８１】
１０…パチンコ遊技機
１２…外枠
１３…内枠用ヒンジ
１５…プリペイドカードユニット
１６…案内ユニット
１６ｂ…貸出ボタン
１６ｃ…返却ボタン
１７…カードユニット電源コード
２０…内枠
２１…ガラス枠用ヒンジ
２２…ガラス枠
２３…表示ランプ
２４…上皿
２５…下皿
２６…発射操作ユニット
２６ａ…発射ハンドル
２８…錠
２９…係合金具
３０…発射レール
３１…発射機構ユニット
３２ａ，３２ｂ…支持片
３３…受け金具
４０…遊技板
４１…特別図柄表示装置
４２…普通図柄表示装置
４３…普通入賞口
４４…始動入賞口
４５…普通図柄表示装置作動ゲート
４６…大入賞口
４７…風車
４８…ランプ風車
４９…内レール
５０…ファール球止め
５１…外レール
５２…返しゴム
５３…アウト口
５４…表示ランプ
５６…液晶表示器
５７…ランプ制御基板
５８…音声制御基板
５９…ランプ・音声基板用プレート
７０…機構板
７０ａ…開口部
７０ｂ…案内路
７０ｃ…分岐路
７０ｄ…アウト球排出通路
７１…機構板用ヒンジ
７２…球タンク
７２ａ，７２ｂ…凸部
７３…タンクレール
７４…ケースレール
７４ａ…進入口
７４ｂ…分岐壁
７４ｃ…賞球用通路
７４ｄ…貸球用通路
７４ｅ…賞球用遊技球通過口
７４ｆ…貸球用遊技球通過口
７５…賞球／貸球払出しユニット
７５ａ，７５ｂ…モータ
７５ｃ…賞球排出口
７５ｄ…貸球排出口
７５ｅ…賞球／貸球センサ
７５ｇ…ストッパ
７６ａ，７６ｂ…保護カバー
７７…鈴桶ベース
７７ａ…通路
７７ｂ…出口
７７ｃ…ベル
７８…鈴桶カバー
７９…機構板用ヒンジ
８０…電源・外部端子ユニット
８０ａ…電源スイッチ
８０ｂ…遊技機電源コード
８０ｃ…遊技盤用外部端子板
８０ｄ…枠用外部端子板
８１…電源ユニット
８１ａ…電源基板
８２…発射制御ユニット
８２ａ…発射制御基板
８３…電源・発射制御基板用プレート
８４…主制御ユニット
８４ａ…主基板
８５…主基板用プレート
８６…払出制御ユニット
８６ａ…払出制御基板
８７…払出制御基板用プレート
９０…金属板
９０ａ，９０ｂ…折曲部
Ｂ…遊技球
ＣＥ…球搬送装置
ＣＲ…搬送用レール
ＣＴ…搬送筒
ＳＥ…球供給装置
ＳＲ…供給用レール
【図１】
2015091489.tif 000003
【図２】
2015091489.tif 000004
【図３】
2015091489.tif 000005
【図４】
2015091489.tif 000006
【図５】
2015091489.tif 000007
【図６】
2015091489.tif 000008
【図７】
2015091489.tif 000009
【図８】
2015091489.tif 000010